(57)【要約】【課題】一方に戸袋スペースを確保することができるが開き戸用のスペースの確保が困難ないしは不可能あるいは開き戸にしたくなく、もう一方に開き戸用のスペースを確保することができるが戸袋スペースは確保が困難ないし不可能あるいは戸袋スペースを設けたくない場合であっても、不都合なく採用することができる両戸式の扉構造を提供する。【解決手段】一つの開口部において、該開口部の左右一方の側が引き戸で開閉され、もう一方の側が開き戸で開閉されるようになされており、一方の戸に対する開閉操作で両戸が連動して開口部を開閉するようになされている。特に、引き戸に開閉操作部が備えられていることでバリアフリーの両戸式の扉構造として真価を発揮てきる。【選択図】      図１
2006097375.tif 000002
【特許請求の範囲】
【請求項１】
一つの開口部において、該開口部の左右一方の側が引き戸で開閉され、もう一方の側が開き戸で開閉されるようになされていることを特徴とする両戸式の扉構造。
【請求項２】
一方の戸に対する開閉操作で両戸が連動して開口部を開閉するようになされている請求項１に記載の両戸式の扉構造。
【請求項３】
引き戸に開閉操作部が備えられている請求項２に記載の両戸式の扉構造。
【請求項４】
いずれか一方の戸が広幅の親戸からなると共に、もう一方の戸が狭幅の子戸からなり、親戸に開閉操作部が備えられている請求項２に記載の両戸式の扉構造。
【発明の詳細な説明】
【技術分野】
【０００１】
本発明は、建築用建具などに用いられる両戸式の扉構造に関する。
【背景技術】
【０００２】
両戸式の扉構造として、開き戸を用いた両開き式の扉構造や、引き戸を用いた両引き式の扉構造は、従来より提供されている。
【０００３】
しかしながら、両開き式の扉構造では、それぞれの開き戸の開閉動作に必要なスペースを室の内外方向に確保できなければならず、そのような両スペースを充分に確保できない場合に、両開き式の扉構造を採用すると、不便な思いをする。
【０００４】
また、両引き式の扉構造では、開口部の両側に引き戸を収めるための戸袋スペースが必要であり、開口部を挟むいずれか一方にそのような戸袋スペースを確保できない場合は、両引き式の扉構造を採用することはできない。
【０００５】
そのため、一方に戸袋スペースを確保することができるが開き戸用のスペースは充分に確保できず、もう一方に開き戸用のスペースを確保できるが戸袋スペースは確保できない場合には、両引き式の扉構造は採用できず、また、両開き式の扉構造を採用すると不便な思いをしてしまう。
【発明の開示】
【発明が解決しようとする課題】
【０００６】
本発明は、上記のような問題点に鑑み、一方に戸袋スペースを確保することができるが開き戸用のスペースの確保が困難ないしは不可能あるいは開き戸にしたくなく、もう一方に開き戸用のスペースを確保することができるが戸袋スペースは確保が困難ないし不可能あるいは戸袋スペースを設けたくない場合であっても、不都合なく採用することができる両戸式の扉構造を提供することを課題とする。
【課題を解決するための手段】
【０００７】
上記の課題は、一つの開口部において、該開口部の左右一方の側が引き戸で開閉され、もう一方の側が開き戸で開閉されるようになされていることを特徴とする両戸式の扉構造（第１発明）によって解決される。
【０００８】
この構造では、一方を引き戸、もう一方を開き戸とする両戸式に構成されているので、一方に戸袋スペースを確保することができるが開き戸用のスペースの確保が困難ないしは不可能あるいは開き戸にしたくなく、もう一方に開き戸用のスペースを確保することができるが戸袋スペースは確保が困難ないし不可能あるいは戸袋スペースを設けたくない場合であっても、両戸式を、不都合なく採用することができる。
【０００９】
第１発明において、一方の戸に対する開閉操作で両戸が連動して開口部を開閉するようになされている場合（第２発明）は、少ない操作量で開口部を大きく開くことができると共に、少ない操作量で大きな開口部を閉じることができ、操作性に優れた両戸式扉構造にすることができる。
【００１０】
特に、第２発明において、引き戸に開閉操作部が備えられている場合（第３発明）は、車イス使用者にとって使いやすい引き戸を操作するだけで開口部を大きく開くことができ、いずれか一方なら戸袋スペースを設けることができる場合のバリアフリー型の両戸式扉構造として真価を発揮することができる。
【００１１】
また、第２発明において、いずれか一方の戸が広幅の親戸からなると共に、もう一方の戸が狭幅の子戸からなり、親戸に開閉操作部が備えられているのもよい（第４発明）。この場合は、親戸に対する開閉操作で子戸が連動して開口部が開閉されるので、開口部を小さな開閉操作力で大きく開くことができると共に、大きな開口部を小さな開閉操作力で閉じることができる。
【発明の効果】
【００１２】
本発明は、以上のとおりのものであるから、一方に戸袋スペースを確保することができるが開き戸用のスペースの確保が困難ないしは不可能あるいは開き戸にしたくなく、もう一方に開き戸用のスペースを確保することができるが戸袋スペースは確保が困難ないし不可能あるいは戸袋スペースを設けたくない場合であっても、不都合なく採用することができる。
【発明を実施するための最良の形態】
【００１３】
次に、本発明の実施最良形態を図面に基づいて説明する。
【００１４】
図１に示す第１実施形態の両戸式扉構造は、開口部１の左右一方の半部が引き戸２で開閉され、もう一方半部が開き戸３で開閉されるようになされており、図示しない連動機構によって、一方の戸に対する開閉操作で両戸２，３が連動して開口部１を開閉するようになされており、引き戸２に開閉操作部としての取っ手５が備えられ、開き戸３の開閉操作部は省略されている。６は戸袋スペースである。なお、連動機構は、ベルト式、ギア式など各種機構によるものであってよい。また、引き戸２の場合なら、開閉操作部として引き手が備えられていてもよい。
【００１５】
上記の構造では、一方を引き戸２、もう一方を開き戸３とする両戸式に構成されているので、一方に戸袋スペース６を確保することができるが開き戸用のスペースの確保が困難ないしは不可能あるいは開き戸にしたくなく、もう一方に開き戸用のスペースを確保することができるが戸袋スペースは確保が困難ないし不可能あるいは戸袋スペースを設けたくない場合であっても、両戸式を、不都合なく採用することができる。
【００１６】
そして、一方の戸に対する開閉操作で両戸２，３が連動して開口部１を開閉するようになされているので、少ない操作量で開口部１を大きく開くことができると共に、少ない操作量で大きな開口部１を閉じることができ、操作性に優れる。なお、Ｆは操作する側を示す。
【００１７】
特に、引き戸２に取っ手５が開閉操作部として備えられているので、車イス使用者にとって使いやすい引き戸２を操作するだけで開口部１を大きく開くことができ、いずれか一方なら戸袋スペース６を設けることができる場合のバリアフリー型の両戸式扉構造として真価を発揮することができる。しかも、本実施形態では、開き戸３の開閉操作部は省略されているので、車イス使用者は迷わず引き戸２を操作することができ、操作上非常に使いやすい。
【００１８】
図２に示す第２実施形態の両戸式扉構造は、引き戸２が広幅の親戸からなり、開き戸３が狭幅の子戸からなり、親戸である引き戸２に開閉操作部としての取っ手５が備えられ、子戸である開き戸３の開閉操作部は省略されている。その他は、第１実施形態と同様である。
【００１９】
この構造では、開き戸３を、引き戸２に対する小さな操作力で開閉することができる。しかも、親戸である引き戸２に取っ手５が備えられ、開き戸３側の開閉操作部は省略されているので、迷わず引き戸２を操作することができる。加えて、開き戸３の開閉のための室内外方向及び左右方向におけるスペースを小さくすることができる。
【００２０】
図３に示す第３実施形態の両戸式扉構造は、開き戸３が広幅の親戸からなり、引き戸２が狭幅の子戸からなり、親戸である開き戸３に開閉操作部としての取っ手５が備えられ、子戸である開き戸３の開閉操作部は省略されている。その他は、第１実施形態と同様である。
【００２１】
この構造では、引き戸２を、開き戸３に対する小さな操作力で開閉することができる。しかも、親戸である開き戸３に取っ手５が備えられ、引き戸２側の開閉操作部は省略されているので、迷わず開き戸３を操作することができる。加えて、戸袋スペース６を小さくすることができる。
【００２２】
図４に示す第４実施形態の両戸式扉構造は、開口部１の左右一方の半部が引き戸２で開閉され、もう一方半部が開き戸３で開閉されるようになされており、引き戸２と開き戸３とは連動せずに個別に開閉させることができるようになされており、開閉操作部としての取っ手５は引き戸２と開き戸３の両方に備えられている。
【００２３】
この構造においても、一方を引き戸２、もう一方を開き戸３とする両戸式に構成されているので、一方に戸袋スペース６を確保することができるが開き戸用のスペースの確保が困難ないしは不可能あるいは開き戸にしたくなく、もう一方に開き戸３用のスペースを確保することができるが戸袋スペースは確保が困難ないし不可能あるいは戸袋スペースを設けたくない場合であっても、両戸式を、不都合なく採用することができる。
【００２４】
以上に、本発明の実施形態を示したが、本発明はこれに限られるものではなく、発明思想を逸脱しない範囲で各種の変更が可能である。例えば、第１〜第３実施形態では、引き戸２と開き戸３のいずれか一方にのみ、開閉操作部５を備えさせた場合を示しているが、両方に開閉操作部を備えさせるようにしてもよい。その場合であっても、車イス使用者は、引き戸の開閉操作部を選択し、操作して開口部を開閉することができ、また、健常者は、引き戸と開き戸のいずれか都合の良い方の開閉操作部を選択し、操作して開口部を開閉することができ、第３発明における「引き戸に開閉操作部が備えられている」の文言、第４発明における「親戸に開閉操作部が備えられている」の文言は、そのような意味に解釈すべきものである。
【００２５】
また、上記の実施形態では、開き戸と引き戸が連動するものと、連動しないものとについて示したが、本発明の構造では、連動と非連動を切り換えることができる構造になっていてもよい。
【００２６】
また、本発明の両戸式扉構造は、建物の内部の室と室をつなぐ開口部に備えられてもよいし、建物の屋内外をつなぐ開口部に備えられてもよいし、適用場所に特に制限はない。開閉操作部の形式についても制限はない。
【００２７】
更に、本発明における「開き戸」の語は、本来の語の概念よりも広く、折れ戸など、要は、戸袋スペース不要の各種戸を含む概念で用いられている。
【図面の簡単な説明】
【００２８】
【図１】第１実施形態の両戸式の扉構造を示すもので、図（イ）は開口部を閉じた状態の断面平面図、図（ロ）は開口部を開いた状態の断面平面図である。
【図２】第２実施形態の両戸式の扉構造を示すもので、図（イ）は開口部を閉じた状態の断面平面図、図（ロ）は開口部を開いた状態の断面平面図である。
【図３】第３実施形態の両戸式の扉構造を示すもので、図（イ）は開口部を閉じた状態の断面平面図、図（ロ）は開口部を開いた状態の断面平面図である。
【図４】第４実施形態の両戸式の扉構造を示すもので、図（イ）は開口部を閉じた状態の断面平面図、図（ロ）（ハ）はそれぞれ一方の戸だけを開いて開口部を半開させた状態の断面平面図、図（ニ）は両方の戸を開いて開口部を全開させた状態の断面平面図である。
【符号の説明】
【００２９】
１…開口部
２…引き戸
３…開き戸
５…取っ手（開閉操作部）
６…戸袋スペース
【図１】
2006097375.tif 000003
【図２】
2006097375.tif 000004
【図３】
2006097375.tif 000005
【図４】
2006097375.tif 000006